(57)【特許請求の範囲】
【請求項１】
四角形状のセグメントシートの隣り合う２辺に挿入片を形設したエレメントファスナーを設けたエレメントセグメントシートと、四角形状のセグメントシートの隣り合う２辺にスライダーを有するスライダー付エレメントファスナーを設けたスライダー付エレメントセグメントシートとからなり、挿入片は任意の回転方向の任意の隣り合う２辺の各コーナーである出発点に設けられており、スライダーは挿入片とは逆回転方向の任意の隣り合う２辺上において該逆方向から挿入片に挿入できる方向に向けて設けられていることを特徴とする連結シート。
【請求項２】
四角形状のセグメントシートの全辺に挿入片を形設したエレメントファスナーを設けたエレメントセグメントシートと、四角形状のセグメントシートの全辺にスラーダーを有するスライダー付エレメントファスナーを設けたスライダー付エレメントセグメントシートとからなり、挿入片は任意の回転方向の４辺の各コーナーである出発点に設けられており、スライダーは挿入片とは逆回転方向の４辺上において該逆方向から挿入片に挿入できる方向に向けて設けられていることを特徴とする連結シート。
【発明の詳細な説明】
【技術分野】
【０００１】  本発明は、セグメント化したエレメントセグメントシートとスライダー付エレメントセグメントシートとからなるもので２種類のシートを組み合わせることにより、必要に応じた大きさのシートを構築することのできる連結シートに関するものである。
【背景技術】
【０００２】  従来の技術としては、適当なものはないが、例えば、ユニットは外側シート、内側シート、連結シートによって包囲して中空体を形成し、中空体の両側面に連結部を形成するとともに、端部に床シートを内側シートと一体に設け、連結部における外側シートおよび内側シートと床シートとを開離嵌挿具付の止水スライドファスナーで連結できる形に形成し、ユニットは各種形状たとえば球形体ユニット、半円形体ユニット、扇形体ユニット、分岐ユニットに形成し、このユニットを連結することにより、多彩なエアテントができあがるものがある。（特許文献１参照）【特許文献１】特開２００３−１８４３４９号
【発明の開示】
【発明が解決しようとする課題】
【０００３】  上記従来の技術は、各種の形状を呈する中空体のユニットをスライドファスナーで連結し、張設、分解、運搬を行うものである。  よって、各ユニットをスライドファスナーで連結するものであり、本発明のような２種類のセグメントシートで必要な大きさのシートを張設（設置）すると共に、分解、運搬、保管が簡易にできるという機能・効果はない。【０００４】  本発明は、上記のような従来の構成が有していた問題を解決しようとするもので、エレメントセグメントシートとスライダー付エレメントセグメントシートとの２種類のシートを組み合わせる（連結する）ことにより、必要な大きさのシートを作ることができると共に、分解、運搬、保管することができる連結シートを提供することを目的とする。
【課題を解決するための手段】
【０００５】  本発明は上記目的を達成するために、四角形状のセグメントシートの直角２片に、挿入片を形設したエレメントファスナーを設けたエレメントセグメントシートと、四角形状のセグメントシートの直角２片に、スライダーを有するスライダー付エレメントファスナーを設けたスライダー付エレメントセグメントシートとからなること。又は、四角形状のセグメントシートの直角４片に、挿入片を形設したエレメントファスナーを設けたエレメントセグメントシートと、四角形状のセグメントシートの直角４片に、スライダーを有するスライダー付エレメントファスナーを設けたスライダー付エレメントセグメントシートとからなること。また、エレメントファスナーとスライダー付エレメントファスナーの少なくともどちらか一方に、連結部を覆うカバー部を設けてなること。さらに、エレメントファスナーとスライダー付エレメントファスナーの連結方向を、互いに逆方向とすること。その上、エレメントセグメントシート及びスライダー付エレメントセグメントシートが内部に空気を入れてなる空気膜体構造であることを特徴とする。
【発明の効果】
【０００６】  本発明の連結シートによれば、以下の効果を有するものである。１）、四角形（正方形）２種類のセグメントシートを組み合わせることにより、自由な大きさのシートを作る（連結）ことができる。２）、各ファスナーにより誰でも簡単、容易に組み立てることができる。３）、セグメントシートにより、分解、運搬、保管が容易である。４）、一方の直角２片にエレメントファスナー、同じく他方のセグメントシートの直角２片にスライダー付エレメントファスナーを設けた２種類のセグメントシートにより、４枚からなるシートを作ることができる。５）、直角４片にエレメントファスナー、スライダー付エレメントファスナーを設けることにより、無限な大きさのシートを作ることができる。６）、エレメントファスナーとスライダー付エレメントファスナーの連結方向を互いに逆方向とすることにより、連結が容易となり、迷うことなく作業を行うことができる。７）、カバーを設けることにより、意匠的に美しいシート構造物を作ることができる。８）、エアーテントのように内部に空気を入れ続け膨張させた時、ファスナーから適当に空気が抜け、常時テントが張った状態に保持することができる。９）、シートは、平板状のシートのみならず、立体的な空気膜体を使用することもでき、エアードームのような空気膜構造体を作り上げることができる。
【発明を実施するための最良の形態】
【実施例】
【０００７】  連結シート１は、エレメントセグメントシート２とスライダー付エレメントセグメントシート３の２種類から構成される。  エレメントセグメントシート２は、テント布や布等、目的に応じて決められた四角形（正方形）状のセグメントシート２ａの直角２片２ａ１に、挿入片２ｂ１を形設したエレメントファスナー２ｂを設けたものである。【０００８】  スライダー付エレメントセグメントシート３は、上記と同様な（同じ大きさ）セグメントシート３ａの直角２片３ａ１に、スライダー３ｂ１を有するスライダー付エレメントファスナー３ｂを設けたものである。【０００９】  つぎに、連結例を説明する。  エレメントセグメントシート２のエレメントファスナー２ｂとスライダー付エレメントセグメントシート３のスライダー付エレメントファスナー３ｂを連結具３ｂ１にて連結してなる。  このように、エレメントセグメントシート２を２枚と、スライダー付エレメントセグメントシート３を２枚により構成される。（対角状に同様なセグメントシートを置く）【００１０】  つづいて、他の実施例を説明する。  連結シート２１は、エレメントセグメントシート２２とスライダー付エレメントセグメントシート２３の２種類から構成される。  エレメントセグメントシート２２は、前記と同様なセグメントシート２２ａの直角４片２２ａ１に、挿入片２２ｂ１を形設したエレメントファスナー２２ｂを設けてある。【００１１】  スライダー付エレメントセグメントシート２３は、前記と同様なセグメントシート２３ａの直角４片２３ａ１に、スライダー２３ｂ１を有するスライダー付エレメントファスナー２３ｂを設けてある。【００１２】  上記連結シート２１の組み合わせ（連結）例を説明する。  エレメントセグメントシート２２とスライダー付エレメントセグメントシート２３を上下左右交互に配置し、エレメントファスナー２２ｂとスライダー付エレメントファスナー２３ｂをスライダー２３ｂ１にて連結し、所要の大きさのシートを作るものである。（エレメントファスナー２２ｂとスライダー付エレメントファスナー２３ｂの連結方向を、互いに逆方向としてなる）【００１３】  連結シート３１は、少なくともどちらか一方のファスナー３２ｂに、連結部Ｒを覆うカバー部４を設けてある。【００１４】  連結シート４１は、エレメントセグメントシート４２及びスライダー付エレメントセグメントシート４３を内部に空気Ｋを入れてなる空気膜体構造としてなるもので、必要に応じて空気口Ｋ１を設け、常時空気Ｋを入れてなる構造も一考である。【００１５】  上記各実施例において、セグメントシートやファスナーの材質及び大きさ等は使用目的によって決めればよい。  また、使用用途においても、イベント等で使用するシートや大型テントの屋根（エアーテント）、工事現場の落下防止シート、空気膜体構造においては、クッションシートやエアードーム等、色々考えられ、特に限定するものではない。
【図面の簡単な説明】
【００１６】
【図１】本発明の第１実施形態を示す連結シートのエレメントセグメントシートの平面図。
【図２】本発明の第１実施形態を示す連結シートのスライダー付エレメントセグメントシートの平面図。
【図３】本発明の第１実施形態を示す連結シートの使用状態の平面図。
【図４】本発明の第２実施形態を示す連結シートのエレメントセグメントシートの平面図。
【図５】本発明の第２実施形態を示す連結シートのスライダー付エレメントセグメントシートの平面図。
【図６】本発明の第２実施形態を示す連結シートの使用状態の平面図。
【図７】本発明の第３実施形態を示す連結シートの要部連結部の正面図。
【図８】本発明の第４実施形態を示す連結シートの各セグメントシートの一部縦断正面図。
【符号の説明】
【００１７】１−−−連結シート２−−−エレメントセグメントシート３−−−スライダー付エレメントセグメントシート４−−−カバー部
【図１】
0004605589.tif 000002
【図２】
0004605589.tif 000003
【図３】
0004605589.tif 000004
【図４】
0004605589.tif 000005
【図５】
0004605589.tif 000006
【図６】
0004605589.tif 000007
【図７】
0004605589.tif 000008
【図８】
0004605589.tif 000009